(57)【要約】【課題】    遊技盤の釘打装置において、当該遊技盤に対する遊技釘の傾斜打込み角度の精度を高めて、釘打ち可能にすることである。【解決手段】  テーブルスライド装置Ｓと、遊技盤Ｂに釘下孔Ｈを明けるためのポンチＰ、及び前記釘下孔Ｈに遊技釘Ｎを打ち込むための釘打ハンマＧとが所定間隔をおいてホルダ２１に一体に装着されたポンチ・ハンマユニットＵと、当該釘打ハンマＧにより釘打ちするための遊技釘Ｎを、特定された遊技盤Ｂの無数の釘打位置に１本ずつ供給してセットするための遊技釘掴替えセット装置Ａとを備えた遊技盤Ｂの釘打装置において、前記ポンチ・ハンマユニットＵのホルダ２１に所定間隔をおいて一体に装着された前記ポンチＰ及び釘打ハンマＧは、いずれも遊技釘Ｎの傾斜打込み角度θだけ傾斜して取付けられた構成とする。【選択図】  図１１
2018029639.tif 000002
【特許請求の範囲】
【請求項１】
遊技盤セット台に固定セットされた遊技盤を、予め特定された無数の釘打位置に配置可能とすべく、互いに直交する方向にスライドさせるテーブルスライド装置と；当該テーブルスライド装置の遊技盤セット台に固定セットされた遊技盤の無数の釘打位置に釘下孔を明けるためのポンチと、当該ポンチにより釘下孔を明けた後において、前記釘下孔に釘を打ち込むための釘打ハンマとがホルダに所定間隔をおいて一体に装着されたポンチ・ハンマユニットと；当該ポンチ・ハンマユニットの釘打ハンマにより釘打ちするための遊技釘を、特定された遊技盤の釘打位置に１本ずつ供給してセットするための遊技釘掴替えセット装置と；
を備えた遊技盤の釘打装置であって、
前記ポンチ・ハンマユニットのホルダに所定間隔をおいて一体に装着された前記ポンチ及び釘打ハンマは、いずれも遊技釘の傾斜打込み角度だけ傾斜して取付けられていることを特徴とする遊技盤の釘打装置。
【請求項２】
前記ポンチ・ハンマユニットを構成するポンチは、先端部に突刺体が形成されたポンチ本体がポンチ支持体に支持され、ポンチング時に遊技盤に密着する短円筒状の着座体は、前記ポンチ支持体に圧縮バネを介して連結され、
ポンチング時には、前記圧縮バネの圧縮、及び全体のわん曲により前記着座体から前記ポンチ本体の突刺体が突出して遊技盤の盤面に密着すると共に、非ポンチング時には、前記突刺体は、前記圧縮バネの原形状への復元により、前記着座体の内部に収容される構成であることを特徴とする請求項１に記載の遊技盤の釘打装置。
【請求項３】
前記ポンチ・ハンマユニットを構成するポンチと釘打ハンマとは、当該釘打ハンマが前記遊技釘掴替えセット装置に近接するようにして、遊技盤の長手方向に沿って所定間隔をおいて平行配置されていることを特徴とする請求項１又は２に記載の遊技盤の釘打装置。
【発明の詳細な説明】
【技術分野】
【０００１】
本発明は、遊技盤に対する釘打ちの精度を高めた遊技盤の釘打装置に関するものである。
【背景技術】
【０００２】
遊技盤の釘打装置は、例えば、特許文献１に示されるように、遊技盤セット台に固定セットされた遊技盤を、予め特定された無数の釘打位置に配置可能とすべく、互いに直交する方向にスライドさせるテーブルスライド装置と；当該テーブルスライド装置の遊技盤セット台に固定セットされた遊技盤の無数の釘打位置に釘下孔を明けるためのポンチと、当該ポンチにより釘下孔を明けた後において、前記釘下孔に釘を打ち込むための釘打ハンマとがホルダに所定間隔をおいて一体に装着されたポンチ・ハンマユニットと；当該ポンチ・ハンマユニットの釘打ハンマにより釘打ちするための遊技釘を、特定された遊技盤の釘打位置に１本ずつ供給してセットするための遊技釘掴替えセット装置と；を備え、テーブルスライド装置の互いに直交する方向への移動によって、当該テーブルスライド装置のセット台にセットされた遊技盤の特定の釘打位置に、前記ポンチ・ハンマユニットを構成するポンチによって、釘下孔が明けられ、その後に、前記ポンチ・ハンマユニットを構成する釘打ハンマの直下部分に、前記遊技釘掴替えセット装置によって遊技釘が１本ずつ供給されて、その直後に、前記釘打ハンマにより、先端の打込み部が釘下孔に挿入案内されて遊技釘が打設されることで、遊技盤の釘打位置に遊技釘が僅かに傾斜した姿勢で打ち込まれる。
【０００３】
遊技盤に明けられた釘下孔に対する遊技釘の打込み角度（θ）は、垂直に対して設定角度（５°）だけ上方に傾斜しているが、ポンチ・ハンマユニットを構成するポンチによる釘下孔Ｈ’の形成は、図１３に示されるように、当該釘下孔Ｈ’の形成深さが、遊技釘Ｎの先端の円錐状の打込み部Ｎａに対応する深さであって、浅いために、前記釘下孔Ｈ’は、遊技盤Ｂに対して垂直に形成されていた（釘下孔Ｈ’の軸心Ｃ1'と遊技盤Ｂの上面との交差角度は、９０°であった）。
【０００４】
このため、個々の遊技釘Ｎの打込み角度は、設定された傾斜打込み角度（θ）よりも僅かに小さくなってしまうと共に、各遊技釘の傾斜打込み角度は、厳密には、個々に異なってしまう問題があった。
【先行技術文献】
【特許文献】
【０００５】
【特許文献１】特開２００２−１１９６６３号公報
【発明の概要】
【発明が解決しようとする課題】
【０００６】
本発明は、遊技盤の釘打装置において、当該遊技盤に対する遊技釘の傾斜打込み角度の精度を高めて、釘打ち可能にすることを課題としている。
【課題を解決するための手段】
【０００７】
上記課題を解決するための請求項１の発明は、遊技盤セット台に固定セットされた遊技盤を、予め特定された無数の釘打位置に配置可能とすべく、互いに直交する方向にスライドさせるテーブルスライド装置と；当該テーブルスライド装置の遊技盤セット台に固定セットされた遊技盤の無数の釘打位置に釘下孔を明けるためのポンチと、当該ポンチにより釘下孔を明けた後において、前記釘下孔に釘を打ち込むための釘打ハンマとがホルダに所定間隔をおいて一体に装着されたポンチ・ハンマユニットと；当該ポンチ・ハンマユニットの釘打ハンマにより釘打ちするための遊技釘を、特定された遊技盤の釘打位置に１本ずつ供給してセットするための遊技釘掴替えセット装置と；
を備えた遊技盤の釘打装置であって、
前記ポンチ・ハンマユニットのホルダに所定間隔をおいて一体に装着された前記ポンチ及び釘打ハンマは、いずれも遊技釘の傾斜打込み角度だけ傾斜して取付けられていることを特徴としている。
【０００８】
請求項１の発明によれば、テーブルスライド装置の互いに直交する方向への移動によって、当該テーブルスライド装置の遊技盤セット台にセットされた遊技盤の特定の釘打位置に、ポンチ・ハンマユニットを構成するポンチによって、遊技釘の傾斜打込み角度と同一角度で釘下孔が明けられ、その後に、ポンチ・ハンマユニットを構成する釘打ハンマの直下部分に、前記遊技釘掴替えセット装置によって遊技釘が１本ずつ供給され、その直後に、前記釘打ハンマにより、先端の打込み部が釘下孔に部分挿入されることで、遊技盤の釘打位置に遊技釘が、設定された傾斜打込み角度だけ傾斜した姿勢で打ち込まれる。
【０００９】
このように、請求項１の発明では、ポンチ・ハンマユニットを構成するポンチは、ホルダに対して釘打ハンマと同一の傾斜打込み角度だけ傾斜して取付けられているため、遊技釘の先端の打込み部に対応する短い長さを有する釘下孔そのものが、遊技釘の傾斜打込み角度と同一角度だけ傾斜して形成されるので、当該釘下孔に案内されて遊技盤に打ち込まれる遊技釘は、当該釘下孔の傾斜に沿って円滑に遊技盤に打ち込まれる。よって、遊技盤に対する全ての遊技釘の傾斜打込み角度は、設定角度通りとなって、遊技釘の傾斜打込み角度の精度が高められる。
【００１０】
請求項２の発明は、請求項１の発明において、前記ポンチ・ハンマユニットを構成するポンチは、先端部に突刺体が形成されたポンチ本体がポンチ支持体に支持され、ポンチング時に遊技盤に密着する短円筒状の着座体は、前記ポンチ支持体に圧縮バネを介して連結され、
ポンチング時には、前記圧縮バネの圧縮、及び全体のわん曲により前記着座体から前記ポンチ本体の突刺体が突出して遊技盤の盤面に密着すると共に、非ポンチング時には、前記突刺体は、前記圧縮バネの原形状への復元により、前記着座体の内部に収容される構成であることを特徴としている。
【００１１】
請求項２の発明によれば、ポンチング時に遊技盤に密着する短円筒状の着座体は、前記ポンチ支持体に圧縮バネを介して連結されているので、ポンチング時においては、前記着座体は遊技盤に圧接状態で密着して、ポンチ本体の軸心に対して着座体の軸心が、遊技釘の傾斜打込み角度だけ傾斜しても、ポンチ支持体と着座体とを連結している圧縮バネの全体が僅かにわん曲することで、前記各軸心の傾斜が吸収されて、前記ポンチ本体の先端の突刺体は、遊技盤に対して遊技釘の傾斜打込み角度だけ傾斜して突刺されることで、遊技盤の盤面に対して遊技釘の傾斜打込み角度だけ傾斜した軸心を有する釘下孔が形成される。非ポンチング時には、圧縮バネが原形状に復元することで、ポンチ本体の先端の突刺体は、着座体の先端開口から内部に入り込んで収容される。
【００１２】
請求項３の発明は、請求項１又は２の発明において、前記ポンチ・ハンマユニットを構成するポンチと釘打ハンマとは、前記釘打ハンマが前記遊技釘掴替えセット装置に近接するようにして、遊技盤の長手方向に沿って所定間隔をおいて平行配置されていることを特徴としている。
【００１３】
請求項３の発明によれば、ポンチ・ハンマユニットを構成するポンチが、釘打ハンマに対して前記遊技釘掴替えセット装置と反対側に配置されているので、釘打ハンマによる遊技釘の打込み時において、打込み済の遊技釘とポンチとが干渉しない配置関係となるため、遊技盤に対する遊技釘の釘打順序の制約が少なくなる。
【発明の効果】
【００１４】
本発明によれば、ポンチ・ハンマユニットを構成するポンチは、ホルダに対して釘打ハンマと同一の傾斜打込み角度だけ傾斜して取付けられているため、遊技釘の先端の打込み部に対応する短い長さを有する釘下孔そのものが、遊技釘の傾斜打込み角度と同一角度だけ傾斜して形成されるので、当該釘下孔に案内されて遊技盤に打ち込まれる遊技釘は、当該釘下孔の傾斜に沿って円滑に遊技盤に打ち込まれる。よって、遊技盤に対する全ての遊技釘の傾斜打込み角度は、設定角度通りとなって、遊技釘の傾斜打込み角度の精度が高められる。
【図面の簡単な説明】
【００１５】
【図１】本発明に係る遊技盤Ｂの釘打装置の斜視図である。
【図２】同じく平面図である。
【図３】同じく正面図である。
【図４】同じく側面図である。
【図５】ポンチ・ハンマユニットＵの平面図である。
【図６】同じく側面図である。
【図７】同じくポンチング時の側面図である。
【図８】同じく正面図である。
【図９】同じく斜視図である。
【図１０】釘打装置の釘打時の部分拡大側面図である。
【図１１】遊技盤Ｂに形成した釘下孔Ｈと、遊技釘掴替えセット装置Ａで保持された遊技釘Ｎとの各軸心Ｃ1 ，Ｃ4 が一致していることを示す図である。
【図１２】釘打ハンマＧにより遊技盤Ｂに遊技釘Ｎが打ち込まれた状態を示す図である。
【図１３】遊技盤Ｂに形成した釘下孔Ｈ’と、遊技釘掴替えセット装置Ａで保持された遊技釘Ｎとの各軸心Ｃ1', Ｃ4 がずれていることを示す図である。
【発明を実施するための形態】
【００１６】
以下、実施例を挙げて、本発明について更に詳細に説明する。
【００１７】
最初に、図１〜図４を参照して、遊技盤Ｂの釘打装置の一般構成の概略について説明し、その後に、本発明に係るポンチ・ハンマユニットＵについて詳細に説明する。ベッド１の上面には、遊技盤セット台９に固定セットされた遊技盤Ｂを互いに直交するＸ方向及びＹ方向にスライドさせて、両方向のスライド量を組み合わせることで、固定配置されたポンチ・ハンマユニットＵのポンチＰ及び釘打ハンマＧに対して遊技盤Ｂ上の無数の釘打位置を定めて停止させるためのテーブルスライド装置Ｓが配置されている。即ち、ベッド１の上面は、水平な装置設置部２に加工され、当該装置設置部２には、Ｘ方向に沿って所定間隔をおいて一対のＹ方向ガイドレール３が平行に配置され、Ｙ方向スライド体４は、前記一対のガイドレール３に案内されてＹ方向にスライドする。一対のＹ方向ガイドレール３の間には、Ｙ方向ボールネジ５がＹ方向に配置されて、その両端部は、支持ブロック６で支持され、当該Ｙ方向スライド体４の裏面に設けられたボールナット７と、前記Ｙ方向ボールネジ５とが螺合され、当該Ｙ方向ボールネジ５の一端部に連結されたＹ方向制御モータＭｙにより、前記Ｙ方向ボールネジ５の回転数が制御されて回転駆動されることで、Ｙ方向スライド体４は、制御された移動量だけＹ方向に制御移動される。
【００１８】
Ｙ方向スライド体４の上面には、Ｙ方向に沿って所定間隔をおいて一対一組となったＸ方向案内体８が二組配置されて、遊技盤セット台９の裏面にＹ方向に沿って前記一対一組のＸ方向案内体８と同一間隔をおいてＸ方向ガイドレール１０が一体に形成され、一対のＸ方向ガイドレール１０が、一対一組となった二組のＸ方向案内体８に案内されることで、遊技盤セット台９は、Ｘ方向にスライドする。一対のＸ方向ガイドレール１０の間には、Ｘ方向ボールネジ１１が配置されて、その両端部は、支持ブロック（図示せず）で支持されると共に、前記遊技盤セット台９の裏面に取付けられたボールナット１２と、前記Ｘ方向ボールネジ１１とが螺合されている。Ｙ方向スライド体４におけるＸ方向ボールネジ１１のポンチ・ハンマユニットＵの側の配置部分は、Ｘ方向に沿って延出されて、当該延出部４ａにＸ方向制御モータＭｘが配置され、Ｘ方向制御モータＭｘにより、前記Ｘ方向ボールネジ１１の回転数が制御されて回転駆動されることで、遊技盤セット台９は、制御された移動量だけＸ方向に制御移動される。
【００１９】
図２及び図４に示されるように、前記ベッド１の上面には、Ｘ方向に開口した門形フレームＦが一体に設けられ、前記ベッド１の上面におけるＸ方向に沿って前記Ｘ方向制御モータＭｘが配置された側と反対側には、振動作用により無数の遊技釘Ｎを、ロータリフィーダ１３の各フィードアーム部１３ａに供給する振動フィーダ１４が配置されている。振動フィーダ１４から姿勢を正して供給される遊技釘Ｎは、一旦、ロータリフィーダ１３の各フィードアーム部１３ａに供給されて傾斜打込み姿勢で保持されて、所定時間だけ待機しており、ロータリフィーダ１３の各フィードアーム部１３ａの断続回転により、傾斜釘打姿勢の遊技釘Ｎは、前記釘打ハンマＧの近傍の部分に順次供給される。
【００２０】
遊技釘掴替えセット装置Ａは、図１０に示されるように、遊技釘掴替えセット装置Ａの掴替え把持部５１によって、ロータリフィーダ１３の各フィードアーム部１３ａに傾斜打込み角度（θ）を保持して待機している遊技釘Ｎの打込み部Ｎａの直上部を把持し、フィードアーム部１３ａによる遊技釘Ｎの把持が開放されて、当該遊技釘Ｎを掴み替えた後に、密着案内板５２を遊技盤Ｂの盤面６１に密着させることで、図１１及び図１２に示されるように、遊技釘Ｎの下端の打込み部Ｎａを、予め遊技盤Ｂに形成されている釘下孔Ｈの斜直上に配置した状態で、釘打ハンマＧの打設作用により、傾斜打込み角度（θ）だけ傾斜配置された遊技釘Ｎの先端の打込み部Ｎａを、遊技盤Ｂの盤面６１に対して傾斜打込み角度（θ）だけ傾斜して形成された釘下孔Ｈに部分挿入して、当該遊技釘Ｎを遊技盤Ｂの特定位置に打ち込むのを補助する装置であって、カム機構等の利用により、上記運動を行う装置である。また、図１１及び図１２において、遊技釘Ｎの打込み時には、釘打ハンマＧの軸心Ｃ3 、遊技釘Ｎの軸心Ｃ4 及び遊技盤Ｂに形成された釘下孔Ｈの軸心Ｃ1 は、同一直線上に存在している。なお、図２及び図１０において、Ｃ5 は、ロータリフィーダ１３の回動軸心を示す。
【００２１】
前記門形フレームＦは、ベッド１の装置設置部２におけるＹ方向の両端部に立設された一対の脚部１５と、当該一対の脚部１５に支持されて、ポンチ・ハンマユニットＵのポンチＰ及び釘打ハンマＧを駆動する駆動機構Ｋを収納する駆動機構収納部１６とから成る。駆動機構収納部１６の下面１６ａは，平面状に形成され、図４に示されるように、水平面状の装置設置部２との間隔が、Ｘ方向制御モータＭｘの配置部からロータリフィーダ１３の配置部に向けて漸次広くなるように、Ｘ方向に沿って遊技釘Ｎの傾斜打込み角度（θ）だけ傾斜して形成されている。なお、図４において１８は、水平線を示す。門形フレームＦの駆動機構収納部１６の下面１６ａには、ポンチ・ハンマユニットＵと前記遊技釘掴替えセット装置Ａとが、それぞれ傾斜打込み角度（θ）だけ傾斜した姿勢でＸ方向に沿って装着されている。ポンチ・ハンマユニットＵは、遊技釘掴替えセット装置Ａに対してＸ方向制御モータＭｘに近い側に配置されている。
【００２２】
次に、図５〜図１０を参照して、上記したポンチ・ハンマユニットＵについて説明する。ポンチ・ハンマユニットＵは、ホルダ２１を構成するフレーム装着板２２を介して門形フレームＦの駆動機構収納部１６の下面１６ａに装着され、前記ホルダ２１にポンチＰと釘打ハンマＧとが、いずれも前記駆動機構収納部１６の下面１６ａに対して垂直にスライド可能に支持されている。即ち、ポンチＰと釘打ハンマＧとは、互いの軸心Ｃ2,Ｃ3 が互いに平行となるようにＸ方向に沿って所定間隔をおいて配置されている。図５において、ポンチＰ及び釘打ハンマＧの各軸心Ｃ2,Ｃ3 の間隔Ｄは、実施例では、１３０ｍｍである。前記フレーム装着板２２の下面２２ａに対して垂直となってＹ方向に配置されて、当該フレーム装着板２２に一体に設けられた分離支持板２３の一面には、厚板状のポンチスライド体取付け板２４が一体に設けられ、当該ポンチスライド体取付け板２４に垂直方向に沿ってガイドロッド２５が一体に取付けられ、下端部にポンチＰが一体に設けられたポンチスライド体２６は、スライドブロック１７を介して前記ガイドロッド２５に案内されて垂直方向にスライドする構成となっている。ポンチスライド体２６のＹ方向に沿った側方には、当該ポンチスライド体２６を駆動するエアシリンダ２７が配置されて、シリンダ取付け板２８を介して前記ポンチスライド体取付け板２４に取付けられ、エアシリンダ２７のロッド２７ａは、ブラケット２９を介して前記ポンチスライド体２６に連結されることで、エアシリンダ２７のロッド２７ａの出入りにより、ポンチスライド体２６は、前記駆動機構収納部１６の下面１６ａに対して垂直な方向、即ち、遊技釘Ｎの傾斜打込み角度を（θ）として、遊技盤セット台９に固定セットされた遊技盤Ｂの盤面６１に対して（９０°−θ）だけ傾斜した方向〔垂直方向であるＺ方向に対して傾斜打込み角度（θ）だけ傾斜した方向〕にスライドする。
【００２３】
ポンチスライド体２６の下端面には、ポンチＰが一体に設けられ、当該ポンチＰは、短円筒状のポンチ支持体３１に、先端部に遊技釘Ｎの打込み部Ｎａに対応する円錐状の突刺体３２が一体に形成された円柱状のポンチ本体３３の上半部が挿入支持され、前記ポンチ支持体３１の外側と、鍔付リング状の着座体３５の外側との間に圧縮バネ３４が配置され、圧縮バネ３４の非変形時には、図６に示されるように、前記ポンチ本体３３の先端の突刺体３２は、着座体３５の内部に収容されて保護されて、当該突刺体３２は、前記着座体３５の下端開口に臨んでいる。なお、前記圧縮バネ３４の両端部は、それぞれポンチ支持体３１及び着座体３５の各鍔部に溶接により一体化されている。
【００２４】
ポンチング時には、図７に示されるように、エアシリンダ２７のロッド２７ａの突出により、着座体３５が遊技盤Ｂに対して圧接状態で密着して、圧縮バネ３４が圧縮されることで、ポンチＰの突刺体３２が着座体３５の先端開口が突出すると共に、当該圧縮バネ３４の全体が僅かにわん曲されることで、ポンチＰの軸心と着座体３５の軸心とが遊技釘Ｎの傾斜打込み角度（θ）を有して交差する状態を可能にして、ポンチ本体３３の先端の突刺体３２が、遊技盤Ｂに対して傾斜打込み角度（θ）だけ傾斜した状態で突刺されて、軸心Ｃ1 が遊技盤Ｂに対して遊技釘Ｎの傾斜打込み角度（θ）だけ傾斜した釘下孔Ｈが形成される。釘下孔Ｈの形成後には、エアシリンダ２７により、ポンチスライド体２６が上昇することで、遊技盤Ｂに対してポンチＰが離間すると共に、圧縮バネ３４が原形状に復元することで、ポンチＰの先端の突刺体３２は、着座体３５の内部に引っ込んで収容される。なお、ポンチＰの下方スライド端を規制するためのストッパ手段が設けられており、当該ストッパ手段は、前記ブラケット２９に螺合された調整ストッパボルト３６と、前記ポンチスライド体取付け板２４に固定されたストッパボルト取付け板３７に取付けられた固定ストッパボルト３８とで構成される。
【００２５】
前記分離支持板２３におけるポンチスライド体取付け板２４が取付けられた面と反対面には、遊技盤Ｂに対して遊技釘Ｎの傾斜打込み角度（θ）だけ傾斜した姿勢で、先端の打込み部Ｎａが遊技盤Ｂの釘下孔Ｈに部分挿入された状態で姿勢を維持している遊技釘Ｎを打ち込むための釘打ハンマＧがスライド可能に支持されている。即ち、分離支持板２３の反対面には、ガイドロッド４１が設けられ、釘打ハンマＧには、スライド体４３が一体に設けられ、当該スライド体４３に設けられたスライドブロック４２が前記ガイドロッド４１に案内されてスライドする構成となっている。釘打ハンマＧの先端部は、他の部分よりも小径に形成された打込み部Ｇａとなっていて、当該打込み部Ｇａの下端面は、遊技釘Ｎの頭部に対応した凹状に形成されている。
【００２６】
釘打ハンマＧが一体に取付けられたスライド体４３の上端部には、クランクロッド４４の下端部を連結するための側面視でコの字形の連結ブロック４５が一体に設けられ、前記クランクロッド４４の下端部は、前記連結ブロック４５の凹部４５ａに挿入されて、連結ピン４６を介して連結されている。門形フレームＦの駆動機構収納部１６には、モータの回転運動を往復直線運動に変換して釘打ハンマＧを一定ストロークで往復動させる駆動機構Ｋが収納されていて、当該駆動機構Ｋを構成するクランク軸のクランクピン（いずれも図示せず）には、前記クランクロッド４４の上端部が連結され、回転駆動機構の連続回転が、クランクロッド４４の往復直線運動に変換されることで、釘打ハンマＧは、設定周期で、かつ設定ストロークでもって、往復直線運動を行う。これにより、先端部の打込み部Ｎａが遊技盤Ｂの釘下孔Ｈに部分挿入された傾斜打込み姿勢の遊技釘Ｎの頭部が、釘打ハンマＧの下端部の打込み部Ｇａにより打設されて、遊技盤Ｂに対して遊技釘Ｎが設定量だけ打ち込まれる。
【００２７】
上記において、ポンチ・ハンマユニットＵを構成するポンチＰ及び釘打ハンマＧの各作用、並びにロータリフィーダ１３及び遊技釘掴替えセット装置Ａの個々の作用について説明したが、全体としての作用は、以下の通りである。Ｘ方向及びＹ方向の各制御モータＭｘ，Ｍｙの各回転数の制御により、遊技盤セット台９に固定セットされた遊技盤ＢをＸ方向及びＹ方向にそれぞれ設定量だけ移動させて無数の釘打位置で停止させる操作を繰り返して、停止中において、ポンチ・ハンマユニットＵのポンチＰの作用により、遊技盤Ｂの盤面６１の特定の釘打位置に、遊技釘Ｎの傾斜打込み角度（θ）だけ軸心Ｃ1 が傾斜した無数の釘下孔Ｈを明ける。その後に、ポンチＰを上昇端位置に停止させた状態で、ロータリフィーダ１３及び遊技釘掴替えセット装置Ａの各作用により、傾斜打込み角度（θ）だけ傾斜した状態の遊技釘Ｎを、予め形成された釘下孔Ｈの斜直上に仮保持させた状態で、釘打ハンマＧにより、当該遊技釘Ｎの頭部を打設すると、予め設定された釘打ハンマＧのストロークに対応して、遊技釘Ｎの先端の打込み部Ｎａは、遊技盤Ｂの盤面６１に形成された釘下孔Ｈに、各軸心Ｃ1 ，Ｃ4 が同心となって部分挿入された後に、傾斜打込み角度（θ）を維持して、遊技盤Ｂの盤面６１に遊技釘Ｎが打ち込まれる。この操作を繰り返して、遊技盤Ｂの盤面６１に形成された無数の釘下孔Ｈに遊技釘Ｎを順次打ち込む。
【００２８】
そして、遊技盤Ｂの盤面６１に予め形成される釘下孔Ｈの軸心Ｃ1 は、遊技盤Ｂの盤面６１に対して遊技釘Ｎの傾斜打込み角度（θ）だけ傾斜しているので、傾斜打込み角度（θ）だけ傾斜した姿勢で、遊技釘掴替えセット装置Ａの掴替え把持部５１に仮保持されている遊技釘Ｎの打込み時において、前記釘下孔Ｈの軸心Ｃ1 と当該遊技釘Ｎの軸心Ｃ4 とが一致する。よって、当該釘下孔Ｈに案内されて遊技盤Ｂに打ち込まれる遊技釘Ｎは、当該釘下孔Ｈの傾斜に沿って円滑に遊技盤Ｂに打ち込まれるので、遊技盤Ｂに対する全ての遊技釘Ｎの傾斜打込み角度は、設定角度通りとなって、遊技釘の傾斜打込み角度の精度が高められる。
【符号の説明】
【００２９】
Ａ：遊技釘掴替えセット装置
Ｂ：遊技盤
Ｃ1 ：釘下孔の軸心
Ｃ2 ：ポンチの軸心
Ｃ3 ：釘打ハンマの軸心
Ｃ4 ：打込み時の遊技釘の軸心
Ｄ：ポンチと釘打ハンマの各軸心の間隔
Ｇ：釘打ハンマ
Ｇａ：ハンマの打込み部
Ｈ：釘下孔
Ｎ：遊技釘
Ｎａ：遊技釘の打込み部
Ｐ：ポンチ
Ｕ：ポンチ・ハンマユニット
Ｓ：テーブルスライド装置
θ：遊技釘の傾斜打込み角度
９：遊技盤セット台
２１：ポンチ・ハンマユニットのホルダ
３１：ポンチ支持体
３２：突刺体
３３：ポンチ本体
３４：圧縮バネ
３５：着座体
６１：遊技盤の盤面
【図１】
2018029639.tif 000003
【図２】
2018029639.tif 000004
【図３】
2018029639.tif 000005
【図４】
2018029639.tif 000006
【図５】
2018029639.tif 000007
【図６】
2018029639.tif 000008
【図７】
2018029639.tif 000009
【図８】
2018029639.tif 000010
【図９】
2018029639.tif 000011
【図１０】
2018029639.tif 000012
【図１１】
2018029639.tif 000013
【図１２】
2018029639.tif 000014
【図１３】
2018029639.tif 000015